(57)【要約】【課題】電話機から他の電話機の機能制限を簡単に行うことができる電話機を用いた通信装置を提供する。【解決手段】予め電話会社の中継交換機Ｃに、設定側携帯電話機Ａの電話番号と制限側携帯電話機Ｂの電話番号と制限可能な機能名とを登録しておく。設定側携帯電話機Ａから制限側携帯電話機Ｂの機能制限を要求する機能制限要求信号を中継交換機Ｃに送信する。中継交換機Ｃでは、登録内容を参照して機能制限要求信号が正当なものか判断し、正当なものである場合は制限側携帯電話機Ｂに機能制限設定信号を送信する。制限側携帯電話機Ｂでは、機能制限設定信号に基づいて制限する機能名と制限内容とが記憶される。制限側携帯電話機Ｂで制限された機能の使用が要求されると、記憶されている制限内容に従って当該機能が制限される。【選択図】      図１
2006186625.tif 000002
【特許請求の範囲】
【請求項１】
交換機を介して電話機間で信号の授受を行うとともに、設定側電話機から制限側電話機の機能を制限することができる電話機を用いた通信装置であって、
前記設定側電話機は、前記制限側電話機を識別する識別符号と、制限を要求する機能と、制限内容とを含む機能制限情報を入力する入力手段と、前記入力手段から入力された識別符号と機能と制限内容とを含む機能制限要求信号を前記交換機に送信する機能制限要求手段とを備え、
前記交換機は、設定側電話機の識別符号と制限側電話機の識別符号と制限側電話機で制限可能な機能とが対応付けられている機能制限管理データが記憶されているメモリと、前記機能制限管理データを参照して受信した前記機能制限要求信号が正当なものか否かを判断し、正当であると判断したときは、制限する機能と制限内容とを含む機能制限設定信号を前記制限側電話機に送信する機能制限管理手段とを備え、
前記制限側電話機は、前記機能制限設定信号に基づいて、制限する機能と制限内容とを記憶し、制限された機能の使用が要求されたときは記憶した制限内容に従って当該機能を制限する機能制限手段を備えることを特徴とする電話機を用いた通信装置。
【請求項２】
前記機能制限管理データには、予め定める設定用暗証番号が対応付けられており、
前記機能制限要求手段は、前記入力手段から機能制限情報として設定用暗証番号が入力されると、入力された設定用暗証番号を前記機能制限要求信号に含めて前記交換機に送信し、
前記機能制限管理手段は、前記機能制限要求信号に含まれている設定用暗証番号と前記機能制限管理データの設定用暗証番号とが一致したときに、前記機能制限設定信号を前記制限側電話機に送信することを特徴とする請求項１に記載の電話機を用いた通信装置。
【請求項３】
前記制限側電話機は、前記機能制限設定信号が受信されると機能制限が要求されている旨をユーザに報知する報知手段と、機能制限の承認または拒否を選択する選択手段とを備え、
前記機能制限手段は、前記選択手段によって機能制限の承認が選択されると、制限する機能と制限内容とを記憶することを特徴とする請求項１または２に記載の電話機を用いた通信装置。
【請求項４】
前記制限側電話機は、変更用暗証番号と当該制限側電話機の識別符号と制限されている機能と変更後の制限内容とを含む変更情報を入力する入力手段を備え、
前記機能制限管理データには、予め定める変更用暗証番号が対応付けられており、
前記制限側電話機の前記機能制限手段は、前記入力手段から変更情報が入力されると、入力された変更情報を含む変更要求信号を前記交換機に送信し、
前記交換機の機能制限管理手段は、前記機能制限管理データを参照して受信した前記変更要求信号が正当なものか否かを判断し、正当であると判断したときは、前記変更要求信号に含まれている機能と制限内容とに基づいて作成した機能制限設定信号を前記制限側電話機に送信することを特徴とする請求項１〜３のいずれか１項に記載の電話機を用いた通信装置。
【請求項５】
前記制限側電話機は、変更用暗証番号と当該制限側電話機の識別符号と制限されている機能と変更後の制限内容とを含む変更情報を入力する入力手段を備え、
前記設定側電話機は、制限されている機能における制限内容の変更の承認または拒否を選択する選択手段を備え、
前記機能制限管理データには、予め定める変更用暗証番号が対応付けられており、
前記制限側電話機の機能制限手段は、前記入力手段から変更情報が入力されると、入力された変更情報を含む変更要求信号を前記交換機に送信し、
前記交換機の機能制限管理手段は、前記機能制限管理データを参照して受信した前記変更要求信号が正当なものか否かを判断し、正当であると判断したときは、制限されている機能における制限内容の変更が要求されている旨のメッセージ信号を前記設定側電話機に送信し、
前記設定側電話機の前記機能制限要求手段は、前記選択手段によって変更が承認されると承認信号を、変更が拒否されると拒否信号を前記交換機に送信し、
前記交換機の機能制限管理手段は、承認信号が受信されると前記変更要求信号に含まれている機能と制限内容とに基づいて作成した機能制限設定信号を前記制限側電話機に送信することを特徴とする請求項１〜３のいずれか１項に記載の電話機を用いた通信装置。
【請求項６】
交換機を介して電話機間で信号の授受を行うとともに、設定側電話機から制限側電話機の機能を制限することができる電話機を用いた通信装置であって、
前記設定側電話機は、前記制限側電話機を識別する識別符号と、制限を要求する機能と、制限内容とを含む機能制限情報を入力する入力手段と、前記入力手段から入力された識別符号と機能と制限内容とを含む機能制限要求信号を前記交換機に送信する機能制限要求手段とを備え、
前記交換機は、設定側電話機の識別符号と制限側電話機の識別符号と制限側電話機で制限可能な機能とが対応付けられている機能制限管理データが記憶されているメモリと、前記機能制限管理データを参照して受信した前記機能制限要求信号が正当なものか否かを判断し、正当であると判断したときは、制限側電話機の識別符号と制限する機能と制限内容とを含む機能制限設定命令を出力する機能制限管理手段と、前記機能制限設定命令に基づいて、制限側電話機の識別符号と制限する機能と制限内容とを記憶し、制限側電話機から制限された機能の使用が要求されたときは記憶した制限内容に従って当該機能を制限する機能制限手段とを備えることを特徴とする電話機を用いた通信装置。
【請求項７】
前記機能制限管理データには、予め定める設定用暗証番号が対応付けられており、
前記機能制限要求手段は、前記入力手段から機能制限情報として設定用暗証番号が入力されると、入力された設定用暗証番号を前記機能制限要求信号に含めて前記交換機に送信し、
前記機能制限管理手段は、前記機能制限要求信号に含まれている設定用暗証番号と前記機能制限管理データの設定用暗証番号とが一致したときに、前記機能制限設定命令を出力することを特徴とする請求項６に記載の電話機を用いた通信装置。
【請求項８】
前記制限側電話機は、機能制限の承認または拒否を選択する選択手段と、前記選択手段によって機能制限の承認が選択されると、承認信号を前記交換機に送信し、前記選択手段によって機能制限の拒否が選択されると、拒否信号を前記交換機に送信する送信手段とを備え、
前記交換機の機能制限管理手段は、前記機能制限要求信号が正当なものであると判断すると、機能制限が要求されている旨のメッセージ信号を前記制限側電話機に送信し、前記承認信号を受信すると、前記機能制限設定命令を前記機能制限手段に出力することを特徴とする請求項６または７に記載の電話機を用いた通信装置。
【請求項９】
前記制限側電話機は、変更用暗証番号と当該制限側電話機の識別符号と制限されている機能と変更後の制限内容とを含む変更情報を入力する入力手段と、前記入力手段から入力された変更情報を含む変更要求信号を前記交換機に送信する送信手段とを備え、
前記機能制限管理データには、予め定める変更用暗証番号が対応付けられており、
前記交換機の機能制限管理手段は、前記変更要求信号に含まれている変更用暗証番号と前記機能制限管理データの変更用暗証番号とが一致したときに、前記変更要求信号に含まれている機能と変更後の制限内容とを含む機能制限設定命令を出力することを特徴とする請求項６〜８のいずれか１項に記載の電話機を用いた通信装置。
【請求項１０】
前記制限側電話機は、変更用暗証番号と当該制限側電話機の識別符号と制限されている機能と変更後の制限内容とを含む変更情報を入力する入力手段と、前記入力手段から入力された変更情報を含む変更要求信号を前記交換機に送信する送信手段とを備え、
前記設定側電話機は、制限されている機能における制限内容の変更の承認または拒否を選択する選択手段を備え、
前記機能制限管理データには、予め定める変更用暗証番号が対応付けられており、
前記交換機の機能制限管理手段は、前記変更要求信号に含まれている変更用暗証番号と前記機能制限管理データの変更用暗証番号とが一致したときに、制限内容の変更が要求されている旨のメッセージ信号を前記設定側電話機に送信し、
前記設定側電話機の機能制限要求手段は、前記選択手段によって変更が承認されると承認信号を、変更が拒否されると拒否信号を前記交換機に送信し、
前記交換機の機能制限管理手段は、前記承認信号が受信されると前記変更要求信号に含まれている機能と変更後の制限内容とを含む機能制限設定命令を出力することを特徴とする請求項６〜８のいずれか１項に記載の電話機を用いた通信装置。
【請求項１１】
交換機を介して電話機間で信号の授受を行うとともに、設定側電話機から制限側電話機の機能を制限することができる電話機を用いた通信装置であって、
前記設定側電話機は、前記制限側電話機を識別する識別符号と、制限を要求する機能と、制限内容とを含む機能制限情報を入力する入力手段と、前記入力手段から入力された識別符号と機能と制限内容とを含む機能制限要求信号を前記交換機に送信する機能制限要求手段を備え、
前記制限側電話機は、設定側電話機の識別符号と制限側電話機の識別符号と制限側電話機で制限可能な機能とが対応付けられている機能制限管理データが記憶されているメモリと、前記機能制限管理データを参照して受信した前記機能制限要求信号が正当なものか否かを判断し、正当であると判断したときは、制限する機能と制限内容とを含む機能制限設定命令を出力する機能制限管理手段と、前記機能制限設定命令に基づいて、制限する機能と制限内容とを記憶し、制限された機能の使用が要求されたときは記憶した制限内容に従って当該機能を制限する機能制限手段とを備えることを特徴とする電話機を用いた通信装置。
【請求項１２】
前記機能制限管理データには、予め定める設定用暗証番号が対応付けられており、
前記機能制限要求手段は、前記入力手段から機能制限情報として設定用暗証番号が入力されると、入力された設定用暗証番号を前記機能制限要求信号に含めて前記交換機を介して制限側電話機に送信し、
前記機能制限管理手段は、前記機能制限要求信号に含まれている設定用暗証番号と前記機能制限管理データの設定用暗証番号とが一致したときに、前記機能制限設定命令を出力することを特徴とする請求項１１に記載の電話機を用いた通信装置。
【請求項１３】
前記制限側電話機は、機能制限の承認または拒否を選択する選択手段を備え、
前記機能制限管理手段は、前記機能制限要求信号が正当なものであると判断すると、機能制限が要求されている旨をユーザに報知し、前記選択手段で承認が選択されると、前記機能制限設定命令を前記機能制限手段に出力することを特徴とする請求項１１または１２に記載の電話機を用いた通信装置。
【請求項１４】
前記制限側電話機は、変更用暗証番号と当該制限側電話機の識別符号と制限されている機能と変更後の制限内容とを含む変更要求命令を入力する入力手段を備え、
前記機能制限管理データには、予め定める変更用暗証番号が対応付けられており、
前記機能制限管理手段は、入力された前記変更要求命令に含まれている変更用暗証番号と前記機能制限管理データの変更用暗証番号とが一致したときに、前記変更要求命令に含まれている機能と変更後の制限内容に基づいて作成した機能制限設定命令を出力することを特徴とする請求項１１〜１３のいずれか１項に記載の電話機を用いた通信装置。
【請求項１５】
前記制限側電話機は、変更用暗証番号と当該制限側電話機の識別符号と制限されている機能と変更後の制限内容とを含む変更要求命令を入力する入力手段を備え、前記機能制限管理データには、予め定める変更用暗証番号が対応付けられており、
前記設定側電話機は、制限されている機能における制限内容の変更の承認または拒否を選択する選択手段を備え、
前記機能制限管理手段は、入力された前記変更要求命令に含まれている変更用暗証番号と前記機能制限管理データの変更用暗証番号とが一致したときに、制限内容の変更が要求されている旨のメッセージ信号を前記交換機を介して前記設定側電話機に送信し、
前記設定側電話機の機能制限要求手段は、前記選択手段によって変更が承認されると承認信号を、変更が拒否されると拒否信号を前記交換機を介して前記制限側電話機に送信し、
前記制限側電話機の機能制限管理手段は、前記承認信号が受信されると前記変更要求命令に含まれている機能と変更後の制限内容とを含む機能制限設定命令を出力することを特徴とする請求項１１〜１３のいずれか１項に記載の電話機を用いた通信装置。
【請求項１６】
電話機の機能制限を設定するための機能制限設定信号を受信する機能制限設定信号受信手段と、
前記機能制限設定信号受信手段によって受信された機能制限設定信号に基づいて電話機の機能を制限する機能制限手段とを備えることを特徴とする電話機。
【発明の詳細な説明】
【技術分野】
【０００１】
本発明は、電話会社が有する交換機を介して電話機間で音声信号やデータ信号などの信号の授受を行う電話機を用いた通信装置に関し、特に電話機が携帯電話機である場合に好適な電話機を用いた通信装置に関する。また本発明は、上記の電話機を用いた通信装置に用いられる電話機に関する。
【背景技術】
【０００２】
携帯電話機は、電話線によって電話会社の交換機に有線接続されている従来の固定電話機とは異なり、無線通信によって電話会社の交換機に無線接続されている。そのため、携帯電話機のユーザは文字どおり常に電話機を携帯することができ、必要なときにすぐに使用することができるので、近年、携帯電話機は急激に普及してきている。また、携帯電話機を構成する液晶表示装置やマイクロコンピュータなどの構成部品の性能が向上するとともに、小型化および低価格化も進んでおり、音声信号の授受を行う通話機能だけでなく、多種多様な機能を備えた携帯電話機が普及してきている。例えば、電子メールの送受信を行うメール機能、インターネットに接続して所望のＵＲＬにアクセスしてＷｅｂページを閲覧するインターネット機能、コンピュータゲームを行うゲーム機能などを備えた携帯電話機が市販されている。
【０００３】
一方、携帯電話機には、そのユーザが自宅以外の場所にいるときであっても、携帯している携帯電話機に電話をかければそのユーザと通話することができるという利点があるので、親が小学生や中学生などの子供に携帯電話機を持たせることが多くなってきている。これは、学習塾に通うなど子供が夜間に外出することが多くなってきたことが理由の１つにある。
【０００４】
このように携帯電話機の利用者の低年齢化が進む中で、携帯電話機の使いすぎや、本来使用するべきではない場所での携帯電話機の使用など種々の問題が生じている。例えば、通話やＷｅｂページの閲覧を長時間行ったり、電子メールの送受信を頻繁に行ったりして通信料金が高額になることや、学校の授業時間中に電子メールの送受信を行ったり、ゲームをしたりして授業をまじめに受けないなど、様々な問題が生じている。
【０００５】
そこで、電車の車内や病院のように携帯電話機の使用を控えるべき場所での携帯電話機の使用を制限する技術が、提案されている（特許文献１および特許文献２参照）。特許文献１には、ＧＰＳ（グローバルポジショニングシステム）装置を携帯電話機に内蔵または外付けして携帯電話機の位置を検出し、検出された位置が携帯電話機の使用を制限すべき場所であるときは、基地局から該当する携帯電話機に機能制御信号を送信して機能を制限する技術が記載されている。また、特許文献２には、携帯電話機の利用を制限する場所にある携帯電話機に対して出力制限指示信号を送信して出力制限状態とし、出力制限状態に入った携帯電話機を登録管理し、登録管理している携帯電話機が呼び出されたときは呼び出した電話機に対して呼び出そうとした携帯電話機が利用の制限されている場所にある旨の応答メッセージを送信する技術が記載されている。
【特許文献１】特開２０００−２２４６６１号公報
【特許文献２】特開２０００−３２４５３９号公報
【発明の開示】
【発明が解決しようとする課題】
【０００６】
上述した携帯電話機の使用を制限する技術は、特定の場所にある携帯電話機の使用を制限する技術である。したがって、例えば学校の構内に対してこれらの技術を適用すれば、授業中の携帯電話機の使用を制限することは可能である。しかし、制限されている場所からユーザ（携帯電話機）が出てしまえば携帯電話機を自由に使えることになるので、場所による使用制限の効果はあまり有効ではない。
【０００７】
したがって、携帯電話機を子供に持たせる親からは、自分の子供が持っている携帯電話機の機能を簡単に制限したいとの要望が出されている。同様の要望は、従業員に仕事用として携帯電話機を持たせている企業からも出されている。
【０００８】
本発明の目的は、電話機から他の電話機の機能制限を簡単に行うことができる電話機を用いた通信装置および電話機を提供することにある。
【課題を解決するための手段】
【０００９】
請求項１に係る発明は、交換機を介して電話機間で信号の授受を行うとともに、設定側電話機から制限側電話機の機能を制限することができる電話機を用いた通信装置であって、
前記設定側電話機は、前記制限側電話機を識別する識別符号と、制限を要求する機能と、制限内容とを含む機能制限情報を入力する入力手段と、前記入力手段から入力された識別符号と機能と制限内容とを含む機能制限要求信号を前記交換機に送信する機能制限要求手段とを備え、
前記交換機は、設定側電話機の識別符号と制限側電話機の識別符号と制限側電話機で制限可能な機能とが対応付けられている機能制限管理データが記憶されているメモリと、前記機能制限管理データを参照して受信した前記機能制限要求信号が正当なものか否かを判断し、正当であると判断したときは、制限する機能と制限内容とを含む機能制限設定信号を前記制限側電話機に送信する機能制限管理手段とを備え、
前記制限側電話機は、前記機能制限設定信号に基づいて、制限する機能と制限内容とを記憶し、制限された機能の使用が要求されたときは記憶した制限内容に従って当該機能を制限する機能制限手段を備えることを特徴とする電話機を用いた通信装置である。
【００１０】
上記の通信装置では、予め電話会社の交換機のメモリに、設定側電話機の識別符号と制限側電話機の識別符号と制限可能な機能とが登録されている。設定側電話機の入力手段から機能制限情報が入力されると、機能制限要求信号が交換機に送信される。交換機では、受信した機能制限要求信号が正当なものであるか否かが判断され、正当なものであると判断されると、機能制限設定信号が制限側電話機に送信される。制限側電話機では、受信した機能制限設定信号に基づいて、制限する機能と制限内容とが機能制限手段に記憶される。制限側電話機で制限されている機能の使用が要求されると、記憶されている制限内容に従ってその機能が制限される。このように、予め電話会社の交換機のメモリに、設定側電話機の識別符号と制限側電話機の識別符号と制限可能な機能とを登録しておけば、設定側電話機を操作して制限側電話機の機能を制限することができる。
【００１１】
また請求項２に係る発明は、前記機能制限管理データには、予め定める設定用暗証番号が対応付けられており、
前記機能制限要求手段は、前記入力手段から機能制限情報として設定用暗証番号が入力されると、入力された設定用暗証番号を前記機能制限要求信号に含めて前記交換機に送信し、
前記機能制限管理手段は、前記機能制限要求信号に含まれている設定用暗証番号と前記機能制限管理データの設定用暗証番号とが一致したときに、前記機能制限設定信号を前記制限側電話機に送信することを特徴としている。
【００１２】
上記通信装置では、設定側電話機から制限側電話機の機能を制限するときは、設定側電話機から機能制限情報として設定用暗証番号を入力させるようにしている。そして、入力された設定用暗証番号と機能制限管理データに記憶されている設定用暗証番号とが一致したときに、交換機から制限側電話機に機能制限設定信号が送信され、制限側電話機で機能制限が実行される。このように、制限側電話機の機能を制限するときは、設定用暗証番号が必要になるので、無関係な第三者が勝手に機能制限をすることを防止することができる。
【００１３】
また請求項３に係る発明は、前記制限側電話機は、前記機能制限設定信号が受信されると機能制限が要求されている旨をユーザに報知する報知手段と、機能制限の承認または拒否を選択する選択手段とを備え、
前記機能制限手段は、前記選択手段によって機能制限の承認が選択されると、制限する機能と制限内容とを記憶することを特徴としている。
【００１４】
上記通信装置では、交換機からの機能制限設定信号が制限側電話機で受信されると、機能制限が要求されている旨がユーザに報知される。ユーザが機能制限を承認すると機能制限が実行され、機能制限を拒否すると機能制限は実行されない。このように、機能制限に際して制限側電話機のユーザの意思が反映されるので、設定側電話機のユーザが一方的に機能制限を実行することを防止することができる。
【００１５】
また請求項４に係る発明は、前記制限側電話機は、変更用暗証番号と当該制限側電話機の識別符号と制限されている機能と変更後の制限内容とを含む変更情報を入力する入力手段を備え、
前記機能制限管理データには、予め定める変更用暗証番号が対応付けられており、
前記制限側電話機の前記機能制限手段は、前記入力手段から変更情報が入力されると、入力された変更情報を含む変更要求信号を前記交換機に送信し、
前記交換機の機能制限管理手段は、前記機能制限管理データを参照して受信した前記変更要求信号が正当なものか否かを判断し、正当であると判断したときは、前記変更要求信号に含まれている機能と制限内容とに基づいて作成した機能制限設定信号を前記制限側電話機に送信することを特徴としている。
【００１６】
上記通信装置では、制限側電話機の入力手段から変更情報が入力されると、変更要求信号が交換機に送信される。交換機では、受信した変更要求信号が正当なものか否かが判断され、正当なものであると判断されると、変更要求信号に含まれている機能と変更後の制限内容とが含まれている機能制限設定信号が制限側電話機に送信される。制限側電話機では、受信した機能制限設定信号に基づいて制限されている機能に対する制限内容が書き換えられる。これによって、制限されている機能の制限内容が変更されたことになる。このように、制限側電話機を操作して制限されている機能の制限内容を変更することができるので、制限側電話機のユーザの意思を反映させた機能制限を実行することができる。
【００１７】
また請求項５に係る発明は、前記制限側電話機は、変更用暗証番号と当該制限側電話機の識別符号と制限されている機能と変更後の制限内容とを含む変更情報を入力する入力手段を備え、
前記設定側電話機は、制限されている機能における制限内容の変更の承認または拒否を選択する選択手段を備え、
前記機能制限管理データには、予め定める変更用暗証番号が対応付けられており、
前記制限側電話機の機能制限手段は、前記入力手段から変更情報が入力されると、入力された変更情報を含む変更要求信号を前記交換機に送信し、
前記交換機の機能制限管理手段は、前記機能制限管理データを参照して受信した前記変更要求信号が正当なものか否かを判断し、正当であると判断したときは、制限されている機能における制限内容の変更が要求されている旨のメッセージ信号を前記設定側電話機に送信し、
前記設定側電話機の前記機能制限要求手段は、前記選択手段によって変更が承認されると承認信号を、変更が拒否されると拒否信号を前記交換機に送信し、
前記交換機の機能制限管理手段は、承認信号が受信されると前記変更要求信号に含まれている機能と制限内容とに基づいて作成した機能制限設定信号を前記制限側電話機に送信することを特徴としている。
【００１８】
上記通信装置では、制限側電話機の入力手段から変更情報が入力されると、変更要求信号が交換機に送信される。交換機では、受信した変更要求信号が正当なものか否かが判断され、正当なものであると判断されると、制限されている機能における制限内容の変更が要求されている旨のメッセージ信号が設定側電話機に送信される。このメッセージ信号を受信した設定側電話機では、制限内容の変更が要求されている旨がユーザに報知される。ユーザが制限内容の変更の承認を選択手段で選択すると、承認信号が交換機に送信され、変更の拒否を選択すると、拒否信号が交換機に送信される。交換機では、承認信号が受信されると、先に受信した変更要求信号に含まれている機能と変更後の制限内容とが含まれている機能制限設定信号が制限側電話機に送信される。制限側電話機では、受信した機能制限設定信号に基づいて制限されている機能名に対する制限内容が書き換えられる。これによって、制限されている機能の制限内容が変更されたことになる。一方、交換機で拒否信号が受信されると、制限内容は変更されない。このように、制限側電話機を操作して制限されている機能の制限内容を変更することができるようになるけれども、設定側電話機のユーザが変更を承認しなければ制限内容は変更されないので、制限側電話機のユーザおよび設定側電話機のユーザの双方の意思を反映させた機能制限を実行することができる。
【００１９】
請求項６に係る発明は、交換機を介して電話機間で信号の授受を行うとともに、設定側電話機から制限側電話機の機能を制限することができる電話機を用いた通信装置であって、
前記設定側電話機は、前記制限側電話機を識別する識別符号と、制限を要求する機能と、制限内容とを含む機能制限情報を入力する入力手段と、前記入力手段から入力された識別符号と機能と制限内容とを含む機能制限要求信号を前記交換機に送信する機能制限要求手段とを備え、
前記交換機は、設定側電話機の識別符号と制限側電話機の識別符号と制限側電話機で制限可能な機能とが対応付けられている機能制限管理データが記憶されているメモリと、前記機能制限管理データを参照して受信した前記機能制限要求信号が正当なものか否かを判断し、正当であると判断したときは、制限側電話機の識別符号と制限する機能と制限内容とを含む機能制限設定命令を出力する機能制限管理手段と、前記機能制限設定命令に基づいて、制限側電話機の識別符号と制限する機能と制限内容とを記憶し、制限側電話機から制限された機能の使用が要求されたときは記憶した制限内容に従って当該機能を制限する機能制限手段とを備えることを特徴とする電話機を用いた通信装置である。
【００２０】
上記の通信装置では、予め電話会社の交換機のメモリに、設定側電話機の識別符号と制限側電話機の識別符号と制限可能な機能とが登録されている。設定側電話機の入力手段から機能制限情報が入力されると、機能制限要求信号が交換機に送信される。交換機では、受信した機能制限要求信号が正当なものであるか否かが判断され、正当なものであると判断されると、機能制限設定命令が機能制限手段に与えられる。機能制限手段では、受信した機能制限設定命令に基づいて、制限側電話機の識別符号と制限する機能と制限内容とが記憶される。制限側電話機で制限されている機能の使用が要求されると、交換機の機能制限手段において、記憶されている制限内容に従ってその機能が制限される。このように、予め電話会社の交換機のメモリに、設定側電話機の識別符号と制限側電話機の識別符号と制限可能な機能とを登録しておけば、設定側電話機を操作して制限側電話機の機能を制限することができる。
【００２１】
また請求項７に係る発明は、前記機能制限管理データには、予め定める設定用暗証番号が対応付けられており、
前記機能制限要求手段は、前記入力手段から機能制限情報として設定用暗証番号が入力されると、入力された設定用暗証番号を前記機能制限要求信号に含めて前記交換機に送信し、
前記機能制限管理手段は、前記機能制限要求信号に含まれている設定用暗証番号と前記機能制限管理データの設定用暗証番号とが一致したときに、前記機能制限設定命令を出力することを特徴としている。
【００２２】
上記通信装置では、設定側電話機から制限側電話機の機能を制限するときは、設定側電話機から機能制限情報として設定用暗証番号を入力させるようにしている。そして、入力された設定用暗証番号と機能制限管理データに記憶されている設定用暗証番号とが一致したときに、交換機において機能制限管理手段から機能制限手段に機能制限設定命令が与えられ、制限側電話機の機能制限が実行される。このように、制限側電話機の機能を制限するときは、設定用暗証番号が必要になるので、無関係な第三者が勝手に機能制限をすることを防止することができる。
【００２３】
また請求項８に係る発明は、前記制限側電話機は、機能制限の承認または拒否を選択する選択手段と、前記選択手段によって機能制限の承認が選択されると、承認信号を前記交換機に送信し、前記選択手段によって機能制限の拒否が選択されると、拒否信号を前記交換機に送信する送信手段とを備え、
前記交換機の機能制限管理手段は、前記機能制限要求信号が正当なものであると判断すると、機能制限が要求されている旨のメッセージ信号を前記制限側電話機に送信し、前記承認信号を受信すると、前記機能制限設定命令を前記機能制限手段に出力することを特徴としている。
【００２４】
上記通信装置では、設定側電話機からの機能制限要求信号が正当なものであると判断されると、交換機から制限側電話機に機能制限が要求されている旨のメッセージ信号が送信されて、機能制限が要求されている旨がユーザに報知される。ユーザが機能制限を承認すると機能制限が実行され、機能制限を拒否すると機能制限は実行されない。このように、機能制限に際して制限側電話機のユーザの意思が反映されるので、設定側電話機のユーザが一方的に機能制限を実行することを防止することができる。
【００２５】
また請求項９に係る発明は、前記制限側電話機は、変更用暗証番号と当該制限側電話機の識別符号と制限されている機能と変更後の制限内容とを含む変更情報を入力する入力手段と、前記入力手段から入力された変更情報を含む変更要求信号を前記交換機に送信する送信手段とを備え、
前記機能制限管理データには、予め定める変更用暗証番号が対応付けられており、
前記交換機の機能制限管理手段は、前記変更要求信号に含まれている変更用暗証番号と前記機能制限管理データの変更用暗証番号とが一致したときに、前記変更要求信号に含まれている機能と変更後の制限内容とを含む機能制限設定命令を出力することを特徴としている。
【００２６】
上記通信装置では、制限側電話機の入力手段から変更情報が入力されると、変更要求信号が交換機に送信される。交換機では、受信した変更要求信号が正当なものか否かが判断され、正当なものであると判断されると、機能制限設定命令が機能制限手段に与えられる。機能制限手段では、与えられた機能制限設定命令に基づいて制限側電話機において制限されている機能に対する制限内容が書き換えられる。これによって、制限されている機能の制限内容が変更されたことになる。このように、制限側電話機を操作して制限されている機能の制限内容を変更することができるので、制限側電話機のユーザの意思を反映させた機能制限を実行することができる。
【００２７】
また請求項１０に係る発明は、前記制限側電話機は、変更用暗証番号と当該制限側電話機の識別符号と制限されている機能と変更後の制限内容とを含む変更情報を入力する入力手段と、前記入力手段から入力された変更情報を含む変更要求信号を前記交換機に送信する送信手段とを備え、
前記設定側電話機は、制限されている機能における制限内容の変更の承認または拒否を選択する選択手段を備え、
前記機能制限管理データには、予め定める変更用暗証番号が対応付けられており、
前記交換機の機能制限管理手段は、前記変更要求信号に含まれている変更用暗証番号と前記機能制限管理データの変更用暗証番号とが一致したときに、制限内容の変更が要求されている旨のメッセージ信号を前記設定側電話機に送信し、
前記設定側電話機の機能制限要求手段は、前記選択手段によって変更が承認されると承認信号を、変更が拒否されると拒否信号を前記交換機に送信し、
前記交換機の機能制限管理手段は、前記承認信号が受信されると前記変更要求信号に含まれている機能と変更後の制限内容とを含む機能制限設定命令を出力することを特徴としている。
【００２８】
上記通信装置では、制限側電話機の入力手段から変更情報が入力されると、変更要求信号が交換機に送信される。交換機では、受信した変更要求信号が正当なものか否かが判断され、正当なものであると判断されると、制限されている機能における制限内容の変更が要求されている旨のメッセージ信号が設定側電話機に送信される。このメッセージ信号を受信した設定側電話機では、制限内容の変更が要求されている旨がユーザに報知される。ユーザが制限内容の変更の承認を選択手段で選択すると、承認信号が交換機に送信され、変更の拒否を選択すると、拒否信号が交換機に送信される。交換機では、承認信号が受信されると、先に受信した変更要求信号に含まれている機能と変更後の制限内容とが含まれている機能制限設定命令が機能制限手段に与えられる。機能制限手段では、与えられた機能制限設定命令に基づいて制限されている機能に対する制限内容が書き換えられる。これによって、制限されている機能の制限内容が変更されたことになる。一方、交換機で拒否信号が受信されると、制限内容は変更されない。このように、制限側電話機を操作して制限されている機能の制限内容を変更することができるようになるけれども、設定側電話機のユーザが変更を承認しなければ制限内容は変更されないので、制限側電話機のユーザおよび設定側電話機のユーザの双方の意思を反映させた機能制限を実行することができる。
【００２９】
請求項１１に係る発明は、交換機を介して電話機間で信号の授受を行うとともに、設定側電話機から制限側電話機の機能を制限することができる電話機を用いた通信装置であって、
前記設定側電話機は、前記制限側電話機を識別する識別符号と、制限を要求する機能と、制限内容とを含む機能制限情報を入力する入力手段と、前記入力手段から入力された電話番号と機能と制限内容と含む機能制限要求信号を前記交換機に送信する機能制限要求手段を備え、
前記制限側電話機は、設定側電話機の識別符号と制限側電話機の識別符号と制限側電話機で制限可能な機能とが対応付けられている機能制限管理データが記憶されているメモリと、前記機能制限管理データを参照して受信した前記機能制限要求信号が正当なものか否かを判断し、正当であると判断したときは、制限する機能と制限内容とを含む機能制限設定命令を出力する機能制限管理手段と、前記機能制限設定命令に基づいて、制限する機能と制限内容とを記憶し、制限された機能の使用が要求されたときは記憶した制限内容に従って当該機能を制限する機能制限手段とを備えることを特徴とする電話機を用いた通信装置である。
【００３０】
上記の通信装置では、予め電話会社の交換機のメモリに、設定側電話機の識別符号と制限側電話機の識別符号と制限可能な機能とが登録されている。設定側電話機の入力手段から機能制限情報が入力されると、機能制限要求信号が交換機を介して制限側電話機に送信される。制限側電話機では、受信した機能制限要求信号が正当なものであるか否かが判断され、正当なものであると判断されると、機能制限設定命令が機能制限手段に与えられる。機能制限手段では、受信した機能制限設定命令に基づいて、制限する機能と制限内容とが記憶される。制限側電話機で制限されている機能の使用が要求されると、記憶されている制限内容に従ってその機能が制限される。このように、予め電話会社の交換機のメモリに、設定側電話機の識別符号と制限側電話機の識別符号と制限可能な機能とを登録しておけば、設定側電話機を操作して制限側電話機の機能を制限することができる。
【００３１】
また請求項１２に係る発明は、前記機能制限管理データには、予め定める設定用暗証番号が対応付けられており、
前記機能制限要求手段は、前記入力手段から機能制限情報として設定用暗証番号が入力されると、入力された設定用暗証番号を前記機能制限要求信号に含めて前記交換機を介して制限側電話機に送信し、
前記機能制限管理手段は、前記機能制限要求信号に含まれている設定用暗証番号と前記機能制限管理データの設定用暗証番号とが一致したときに、前記機能制限設定命令を出力することを特徴としている。
【００３２】
上記通信装置では、設定側電話機から制限側電話機の機能を制限するときは、設定側電話機から機能制限情報として設定用暗証番号を入力させるようにしている。そして、入力された設定用暗証番号と機能制限管理データに記憶されている設定用暗証番号とが一致したときに、制限側電話機において機能制限管理手段から機能制限手段に機能制限設定命令が与えられ、制限側電話機の機能制限が実行される。このように、制限側電話機の機能を制限するときは、設定用暗証番号が必要になるので、無関係な第三者が勝手に機能制限をすることを防止することができる。
【００３３】
また請求項１３に係る発明は、前記制限側電話機は、機能制限の承認または拒否を選択する選択手段を備え、
前記機能制限管理手段は、前記機能制限要求信号が正当なものであると判断すると、機能制限が要求されている旨をユーザに報知し、前記選択手段で承認が選択されると、前記機能制限設定命令を前記機能制限手段に出力することを特徴としている。
【００３４】
上記通信装置では、設定側電話機からの機能制限要求信号が正当なものであると判断されると、制限側電話機において機能制限が要求されている旨がユーザに報知される。ユーザが機能制限を承認すると機能制限が実行され、機能制限を拒否すると機能制限は実行されない。このように、機能制限に際して制限側電話機のユーザの意思が反映されるので、設定側電話機のユーザが一方的に機能制限を実行することを防止することができる。
【００３５】
また請求項１４に係る発明は、前記制限側電話機は、変更用暗証番号と当該制限側電話機の識別符号と制限されている機能と変更後の制限内容とを含む変更要求命令を入力する入力手段を備え、
前記機能制限管理データには、予め定める変更用暗証番号が対応付けられており、
前記機能制限管理手段は、入力された前記変更要求命令に含まれている変更用暗証番号と前記機能制限管理データの変更用暗証番号とが一致したときに、前記変更要求命令に含まれている機能と変更後の制限内容に基づいて作成した機能制限設定命令を出力することを特徴としている。
【００３６】
上記通信装置では、制限側電話機の入力手段から変更情報が入力されると、変更要求命令が機能制限管理手段に与えられる。機能制限管理手段では、与えられた変更要求命令が正当なものか否かが判断され、正当なものであると判断されると、機能制限設定命令が機能制限手段に与えられる。機能制限手段では、与えられた機能制限設定命令に基づいて制限側電話機において制限されている機能に対する制限内容が書き換えられる。これによって、制限されている機能の制限内容が変更されたことになる。このように、制限側電話機を操作して制限されている機能の制限内容を変更することができるので、制限側電話機のユーザの意思を反映させた機能制限を実行することができる。
【００３７】
また請求項１５に係る発明は、前記制限側電話機は、変更用暗証番号と当該制限側電話機の識別符号と制限されている機能と変更後の制限内容とを含む変更要求命令を入力する入力手段を備え、前記機能制限管理データには、予め定める変更用暗証番号が対応付けられており、
前記設定側電話機は、制限されている機能における制限内容の変更の承認または拒否を選択する選択手段を備え、
前記機能制限管理手段は、入力された前記変更要求命令に含まれている変更用暗証番号と前記機能制限管理データの変更用暗証番号とが一致したときに、制限内容の変更が要求されている旨のメッセージ信号を前記交換機を介して前記設定側電話機に送信し、
前記設定側電話機の機能制限要求手段は、前記選択手段によって変更が承認されると承認信号を、変更が拒否されると拒否信号を前記交換機を介して前記制限側電話機に送信し、
前記制限側電話機の機能制限管理手段は、前記承認信号が受信されると前記変更要求命令に含まれている機能と変更後の制限内容とを含む機能制限設定命令を出力することを特徴としている。
【００３８】
上記通信装置では、制限側電話機の入力手段から変更要求命令が入力されると、機能制限管理手段に与えられる。機能制限管理手段では、与えられた変更要求命令が正当なものか否かが判断され、正当なものであると判断されると、制限されている機能における制限内容の変更が要求されている旨のメッセージ信号が交換機を介して設定側電話機に送信される。このメッセージ信号を受信した設定側電話機では、制限内容の変更が要求されている旨がユーザに報知される。ユーザが制限内容の変更の承認を選択手段で選択すると、承認信号が交換機を介して制限側電話機に送信され、変更の拒否を選択すると、拒否信号が交換機を介して制限側電話機に送信される。制限側電話機では、承認信号が受信されると、先に入力された変更要求命令に含まれている機能と変更後の制限内容とが含まれている機能制限設定命令が機能制限手段に与えられる。機能制限手段では、与えられた機能制限設定命令に基づいて制限されている機能に対する制限内容が書き換えられる。これによって、制限されている機能の制限内容が変更されたことになる。一方、制限側電話機で拒否信号が受信されると、制限内容は変更されない。このように、制限側電話機を操作して制限されている機能の制限内容を変更することができるようになるけれども、設定側電話機のユーザが変更を承認しなければ制限内容は変更されないので、制限側電話機のユーザおよび設定側電話機のユーザの双方の意思を反映させた機能制限を実行することができる。
【００３９】
請求項１６に係る発明は、電話機の機能制限を設定するための機能制限設定信号を受信する機能制限設定信号受信手段と、
前記機能制限設定信号受信手段によって受信された機能制限設定信号に基づいて電話機の機能を制限する機能制限手段とを備えることを特徴とする電話機である。
【００４０】
上記電話機によれば、機能制限設定信号が受信されると、受信した機能制限設定信号に基づいて当該電話機の機能が制限される。機能制限設定信号は、他の電話機または他の電話機からの要求に従って交換機から送信させるように構成することができる。したがって、特定の電話機の機能を制限したいユーザは、例えば自分が所有している電話機を操作して前記特定電話機に機能制限設定信号を送信すれば、特定電話機の機能を制限することができる。
【発明の効果】
【００４１】
本発明によれば、交換機または制限側電話機に予め機能制限に関する情報を登録しておけば、設定側電話機を操作するだけで、簡単に制限側電話機の機能を制限することができる。したがって、例えば親が子供に携帯電話機を持たせた場合に、親が自分の携帯電話機を操作して子供の携帯電話機の機能を制限することができるようになる。これによって、低年齢の子供にも安心して携帯電話機を利用させることができるようになる。
【００４２】
また、携帯電話機を紛失した場合に、紛失した携帯電話機を制限側電話機として登録して例えば携帯電話機を２４時間すべての時間帯で使用できないように制限しておけば、紛失した携帯電話機が他人に使用されたり、携帯電話機に記憶されている情報が他人に見られたりすることを防止することができる。
【００４３】
さらに、電話機の操作に不慣れな者が自分の電話機の機能制限を設定・解除したい場合に、操作に慣れた者に頼んでその人が所有する電話機から自分の電話機の機能制限を設定・解除してもらうことができるようになる。例えば、高齢の親が持っている携帯電話機の機能制限の設定・解除を、子供が持っている携帯電話機から行うことができるようになる。この場合、受ける電話の相手先を制限する着信制限を設定すれば、いたずら電話を防止することができるとともに、最近頻発しているいわゆる振り込め詐欺等の電話を排除することが可能となる。
【００４４】
また本発明によれば、機能制限を設定するときは暗証番号を入力する必要があるので、無関係の第三者が安易に機能制限の設定・解除をしてしまうことを防止できる。また、制限側電話機のユーザが設定側電話機を操作できる環境であっても、暗証番号がわからなければ機能制限を解除できないので、機能制限を有効に機能させることができる。
【００４５】
また本発明によれば、設定側電話機から制限側電話機の機能制限を設定する際に、制限側電話機から機能制限の設定を拒否できる。これによって、設定側電話機のユーザが一方的に制限側電話機の機能を制限することを防止することができ、制限側電話機のユーザの意思を反映させた機能制限を行うことができる。
【００４６】
また本発明によれば、設定側電話機によって設定された機能制限の制限内容を、制限側電話機から変更できる。これによって、機能制限の設定を拒否する場合と同様に、設定側電話機のユーザが一方的に制限側電話機の機能を制限することを防止することができ、制限側電話機のユーザの意思を反映させた機能制限を行うことができる。なお、変更する制限内容として、制限の解除を要求すれば、機能制限の解除を行うことができる。
【００４７】
また本発明によれば、設定側電話機によって設定された機能制限の制限内容を制限側電話機から変更できるようにするとともに、変更する際に設定側電話機からの承認がなければ変更できない。これによって、機能制限の設定を拒否する場合と同様に、設定側電話機のユーザが一方的に制限側電話機の機能を制限することを防止することができ、制限側電話機のユーザの意思を反映させた機能制限を行うことができる。また、制限内容の変更には設定側電話機からの承認が必要になるので、安易な変更が行われるのを防止することができる。なお、変更する制限内容として、制限の解除を要求すれば、機能制限の解除を行うことができる。
【発明を実施するための最良の形態】
【００４８】
（第１の実施形態）
以下、本発明の第１実施形態を、図１〜図７を参照しながら説明する。図１は、本発明の第１実施形態の概略的構成を示すブロック図である。電話機を用いた通信装置（以下、単に「通信装置」という）は、２つの携帯電話機Ａ，Ｂと、携帯電話機間の通信を中継する中継交換機Ｃとを備えて構成される。
【００４９】
携帯電話機Ａ，Ｂは、通話機能だけでなく、電子メールの送受信を行うメール機能や、インターネットに接続して所定のＵＲＬにアクセスしてＷｅｂページを閲覧するインターネット機能など様々な機能を行うことができる。携帯電話機Ａ，Ｂの基本的な構成は同じであるので、携帯電話機Ａの構成を説明する。携帯電話機Ａは、入力部１、制御部２、表示部３、メモリ４、無線通信部５およびアンテナ６を備えて構成されている。同様に、携帯電話機Ｂは、入力部１１、制御部１２、表示部１３、メモリ１４、無線通信部１５およびアンテナ１６を備えて構成されている。なお、入力部１および入力部１１が入力手段に相当する。また、制御部２および無線通信部５ならびに制御部１２および無線通信部１５が、それぞれ送信手段と機能制限設定信号受信手段とに相当する。
【００５０】
入力部１は、複数のキースイッチを備えて構成され、携帯電話機Ａの動作を指示するためにユーザによって操作されるものである。入力部１からは、電話番号や後述する機能制限に関する指示内容が入力される。制御部２は、例えばマイクロコンピュータで構成され、入力部１からの指示内容に従って、例えばメモリ４に記憶されている制御プログラムやデータマップに基づいて携帯電話機Ａ全体の動作を制御する。表示部３は、例えば液晶表示装置で構成され、制御部２からの表示制御信号に基づいて、入力部１からの入力内容や携帯電話機Ａの動作状態などを表示する。無線通信部５は、制御部２から与えられる送信信号を変調してアンテナ６から送信し、アンテナ６で受信した受信信号を復調して制御部２に出力する。無線通信部５では、通話時には音声信号の送受信が行われ、電子メールの送受信時やＷｅｂページの閲覧時にはデータ信号の送受信が行われる。
【００５１】
中継交換機Ｃは、携帯電話機Ａ，Ｂ間の通信を中継するとともに、交換機としても機能し、さらに後述する携帯電話機Ｂの機能制限に関する処理も実行する。中継交換機Ｃは、入力部２１、制御部２２、表示部２３、ハードディスク２４、無線通信部２５およびアンテナ２６を備えて構成されている。
【００５２】
入力部２１は、複数のキースイッチを備えたキーボードで構成され、中継交換機Ｃの動作を指示するために所定のオペレータによって操作されるものである。入力部２１からは、後述する機能制限に関する情報が入力される。制御部２２は、例えばマイクロコンピュータで構成され、入力部２１からの指示内容に従って、例えばハードディスク２４に記録されている制御プログラムやデータマップに基づいて中継交換機Ｃ全体の動作を制御する。表示部２３は、液晶表示装置やＣＲＴ（陰極線管）ディスプレイで構成され、制御部２２からの表示制御信号に基づいて、入力部２１からの入力内容や中継交換機Ｃの動作状態などを表示する。無線通信部２５は、制御部２２から与えられる送信信号を変調してアンテナ２６から送信し、アンテナ２６で受信した受信信号を復調して制御部２２に出力する。無線通信部２５では、通話時には音声信号の送受信が行われ、電子メールの送受信時やＷｅｂメールの閲覧時にはデータ信号の送受信が行われる。
【００５３】
なお、携帯電話機間の通話時における携帯電話機Ａ，Ｂおよび中継交換機Ｃの処理手順や、電子メール機能やＷｅｂページ閲覧機能実行時における携帯電話機Ａ，Ｂおよび中継交換機Ｃの処理手順は、既知の技術と同じである。したがって、携帯電話機の機能制限に関する処理手順を説明する。以下の説明では、携帯電話機Ａを機能制限の設定を要求する設定側電話機、携帯電話機Ｂを機能が制限される制限側電話機とする。
【００５４】
第１実施形態では、設定側携帯電話機Ａの制御部２が機能制限要求手段として動作し、中継交換機Ｃがハードディスク２４に機能制限管理データを記憶するとともに制御部２２が機能制限管理手段として動作し、制限側携帯電話機Ｂの制御部１２が機能制限手段として動作する場合を説明する。
【００５５】
まず、中継交換機Ｃのハードディスク２４には、機能制限管理データである機能制限管理表３１が予め記録されている。図２は、機能制限管理表３１の一例を示す模式図である。機能制限管理表３１は、設定側電話機の電話番号欄３２と、制限側電話機の電話番号欄３３と、制限可能な機能名欄３４と、設定用暗証番号欄と３５、変更用暗証番号欄３６とで構成されている。制限可能な機能名欄３４は、５つの機能Ｆ１〜Ｆ５ごとに個別の欄が設けられている。
【００５６】
図２の機能制限管理表３１における第１列目において、設定側電話機の電話番号欄３２には電話機Ａの電話番号が書き込まれ、制限側電話機の電話番号欄３３には電話機Ｂの電話番号が書き込まれている。このように書き込むことで、電話機Ａから電話機Ｂの機能を制限できるようになる。また、制限可能な機能名欄３４には、３つの機能Ｆ１，Ｆ２，Ｆ３に対して制限可能である旨（図２では「○」）が書き込まれている。このように書き込むことで、制限側電話機Ｂでは機能Ｆ１〜Ｆ３の制限が可能になる。さらに、設定用暗証番号欄３５には「１２３４」が書き込まれ、変更用暗証番号欄３６には「５６７８」が書き込まれている。このように書き込むことで、設定側電話機Ａから機能制限を要求するときは暗証番号「１２３４」の入力が必要になり、制限側電話機Ｂから機能制限の内容変更あるいは解除を行うときは暗証番号「５６７８」の入力が必要になる。
【００５７】
なお、制限可能な機能名欄３４の書込み内容は、設定側電話機と制限側電話機との組合わせごとに変更可能である。例えば、図２の第２列目においては、制限可能な機能名として機能Ｆ４に対して「○」が書き込まれており、第３列目においては、制限可能な機能名として５つの機能Ｆ１〜Ｆ５の全てに対して「○」が書き込まれている。
【００５８】
一方、制限側電話機Ｂのメモリには、機能制限状態データである機能制限状態表４１が記録されている。図３は、機能制限状態表４１の一例を示す模式図である。機能制限状態表４１は、制限されている機能名欄４２と制限の内容欄４３とで構成されている。制限側電話機Ｂでは、図２の機能制限管理表３１の第１列目に示すように、機能Ｆ１〜Ｆ３が制限可能であるので、制限されている機能名欄４２には、順番に「Ｆ１」、「Ｆ２」、「Ｆ３」が書き込まれる。そして、対応する制限の内容欄４３には、機能ごとに制限の内容が書き込まれる。例えば、機能Ｆ１がゲーム機能である場合は「機能停止」が書き込まれ、機能Ｆ２が通信料金の上限規制機能である場合は「通信料金の上限金額」が書き込まれ、機能Ｆ３がアクセスＵＲＬ制限機能である場合は「アクセスできないＵＲＬ」が書き込まれる。制限側電話機Ｂにおいては、機能制限状態表４１に従って機能が制限されることになる。
【００５９】
次に、機能制限の設定手順を説明する。図４は、携帯電話機Ａから携帯電話機Ｂの機能を制限する場合の手順を説明するための説明図である。なお、以下の説明において、携帯電話機Ａが行う処理は制御部２が、携帯電話機Ｂが行う処理は制御部１２が、中継交換機Ｃが行う処理は制御部２２が、実際には行うものである。
【００６０】
手順ａ１では、ユーザが携帯電話機Ａの入力部１から所定のコード番号を入力するなどして中継交換機Ｃを呼び出し、さらに入力部１を操作して携帯電話機Ａから機能制限要求信号を中継交換機Ｃに送信する。機能制限要求信号には、機能制限要求信号であることを示す識別コードと携帯電話機Ｂの電話番号と制限する機能名と制限内容と設定用暗証番号とが含まれている。制限する機能がゲーム機能のように機能停止させるか否かを切り換えるだけの場合は、制限内容として「機能停止（ＯＦＦ）」または「機能停止解除（ＯＮ）」を入力する。また、制限する機能が通信料金の上限規制機能のように複数段階の制限が可能な場合は、制限内容として具体的な内容、例えば通信料金の上限金額を入力する。なお、携帯電話機Ａの電話番号は、中継交換機Ｃを呼び出す際に携帯電話機Ａから中継交換機Ｃに送信される。
【００６１】
手順ａ２では、機能制限要求信号を受信した中継交換機Ｃが図２に示す機能制限管理表３１の内容を参照して、機能制限要求信号に含まれている情報をチェックする。具体的には中継交換機Ｃは、設定側電話機Ａの電話番号と制限側電話機Ｂの電話番号との組合わせが機能制限管理表３１に書き込まれているか、および機能制限要求信号に含まれている設定暗証番号と機能制限管理表３１に書き込まれている設定用暗証番号とが一致するかをチェックする。
【００６２】
手順ａ３では、チェック結果に基づいて機能制限要求信号が正当なものであるか否かを判断する。設定側と制限側の電話番号の組合わせが書き込まれていない場合や設定用暗証番号が一致しない場合は、機能制限要求信号が不正なものであると判断し、手順ａ４で中継交換機Ｃは携帯電話機Ａにエラーメッセージを送信する。携帯電話機Ａは、受信したエラーメッセージを表示部３に表示する。
【００６３】
一方、設定側と制限側の電話番号の組合わせが書き込まれており、かつ設定用暗証番号が一致した場合は、機能制限要求信号が正当なものであると判断し、手順ａ５で中継交換機Ｃは携帯電話機Ｂに機能制限設定信号を送信する。機能制限設定信号には、制限する機能名と制限内容とが含まれている。なお、携帯電話機Ｂが電源オフ等で接続できなかった場合は、所定時間後に再送信する、あるいは携帯電話機Ｂが発呼等で接続されたときに送信するなどの方法をとる。
【００６４】
手順ａ６では、機能制限設定信号を受信した携帯電話機Ｂは、機能制限状態表４１において受信した機能名に対応する制限の内容欄４３に、受信した制限内容を書き込む。これによって、機能制限が設定される。
【００６５】
その後、手順ａ７では、携帯電話機Ｂが中継交換機Ｃに設定完了信号を送信し、手順ａ８では、中継交換機Ｃが携帯電話機Ａに設定完了メッセージを送信する。携帯電話機Ａは、受信した設定完了メッセージを表示部３に表示する。これで、機能制限の設定手順が終了する。
【００６６】
このように中継交換機Ｃに予め機能制限に関する情報を登録しておけば、設定側携帯電話機Ａを操作するだけで、簡単に制限側携帯電話機Ｂの機能を制限することができる。なお、手順ａ１で制限する機能名と制限内容とを入力する際に、制限内容として機能制限を解除する旨を入力すれば、指定された機能の機能制限を解除することができる。
【００６７】
制限する機能としては、制限側携帯電話機Ｂが有する機能のすべてを対象とすることができる。例えば、以下のような機能制限が考えられる。
・通信料金の上限金額を設定する通信料金制限
・電話料金の上限金額を設定する電話料金制限
・パケット通信料金の上限金額を設定するパケット通信料金制限
・アクセスできるＵＲＬを制限するアクセスＵＲＬ制限
・受けることができる相手先を制限する着信制限
・かける相手先を制限する発呼先制限
・通話時間を制限する通話時間制限
・携帯電話機を使用できる時間帯を制限する使用時間帯制限
・コンピュータゲームの実行を制限するゲーム制限
・制限側携帯電話機Ｂが、設定側電話機として他の携帯電話機の機能を制限する機能を備えている場合は、この機能制限機能を制限することも可能である。
【００６８】
上記実施形態によれば、以下のような効果を得ることができる。
（１）上記実施形態では、中継交換機Ｃに予め機能制限に関する情報を登録しておけば、設定側携帯電話機Ａを操作するだけで、簡単に制限側携帯電話機Ｂの機能を制限することができる。したがって、例えば親が子供に携帯電話機を持たせた場合に、親が自分の携帯電話機を操作して子供の携帯電話機の機能を制限することができるようになる。これによって、低年齢の子供にも安心して携帯電話機を利用させることができるようになる。
【００６９】
（２）上記実施形態では、機能制限を設定するときは設定用暗証番号を入力する必要があるので、無関係の第三者が安易に機能制限の設定・解除をしてしまうことを防止できる。また、制限側携帯電話機Ｂのユーザが設定側携帯電話機Ａを操作できる環境であっても、暗証番号がわからなければ機能制限を解除できないので、機能制限を有効に機能させることができる。
【００７０】
（３）携帯電話機を紛失した場合に、紛失した携帯電話機を制限側電話機として登録して例えば携帯電話機を２４時間すべての時間帯で使用できないように制限しておけば、紛失した携帯電話機が他人に使用されたり、携帯電話機に記憶されている情報が他人に見られたりすることを防止することができる。
【００７１】
（４）携帯電話機の操作に不慣れな者が自分の携帯電話機の機能制限を設定・解除したい場合に、操作に慣れた者に頼んでその人が所有する携帯電話機から自分の携帯電話機の機能制限を設定・解除してもらうことができるようになる。例えば、高齢の親が持っている携帯電話機の機能制限の設定・解除を、子供が持っている携帯電話機から行うことができるようになる。この場合、受ける電話の相手先を制限する着信制限を設定すれば、いたずら電話を防止することができるとともに、最近頻発しているいわゆる振り込め詐欺等の電話を排除することが可能となる。
【００７２】
なお、上記実施形態は以下のように変更してもよい。
・設定用暗証番号を用いることなく機能制限を設定・解除できるようにしてもよい。この場合は、機能制限の設定・解除の操作が容易になり、また暗証番号を忘れてしまい機能制限の設定・解除ができなくなることを防止することができる。なお、この場合は、設定側携帯電話機Ａのユーザは制限側携帯電話機Ｂのユーザや無関係の第三者が設定側携帯電話機Ａを安易に操作できないように管理することが好ましい。
【００７３】
・設定側携帯電話機Ａから制限側携帯電話機Ｂの機能制限を設定する際に、制限側携帯電話機Ｂから機能制限の設定を拒否できるように構成してもよい。この場合は、設定側携帯電話機Ａのユーザが一方的に制限側携帯電話機Ｂの機能を制限することを防止することができ、制限側携帯電話機Ｂのユーザの意思を反映させた機能制限を行うことができる。
【００７４】
図５は、機能制限設定時に制限側携帯電話機Ｂから機能制限の設定を拒否する場合の手順を説明するための説明図である。なお、手順ａ１〜ａ５までは図４と同じであるので、同じ参照符号を付して説明を省略する。
【００７５】
中継交換機Ｃから制限側携帯電話機Ｂに機能制限設定信号が送信されると、手順ａ９では、制限側電話機Ｂは、表示部１３に制限される機能名と制限の内容とを表示する。手順ａ１０では、制限側電話機Ｂのユーザが、表示内容を見て機能制限に同意するか拒否するかを判断し、判断結果を入力部１１から入力する。
【００７６】
手順ａ１０で機能制限を拒否する旨が入力された場合は、手順ａ１１で、制限側電話機Ｂは中継交換機Ｃに拒否信号を送信し、手順ａ１２では、中継交換機Ｃが設定側電話機Ａに設定拒否メッセージを送信する。携帯電話機Ａは、受信した設定拒否メッセージを表示部３に表示する。これで、機能制限の設定が拒否されたことになる。
【００７７】
一方、手順ａ１０で機能制限に同意する旨が入力された場合は、手順ａ１３で、携帯電話機Ｂは、受信した機能制限設定信号に基づいて、機能制限状態表４１における受信した機能名に対応する制限の内容欄４３に、受信した制限内容を書き込む。これによって、機能制限が設定される。
【００７８】
その後、手順ａ１４では、携帯電話機Ｂが中継交換機Ｃに設定完了信号を送信し、手順ａ１５では、中継交換機Ｃが携帯電話機Ａに設定完了メッセージを送信する。携帯電話機Ａは、受信した設定完了メッセージを表示部３に表示する。これで、機能制限の設定手順が終了する。
【００７９】
・設定側携帯電話機Ａによって設定された機能制限の制限内容を、制限側携帯電話機Ｂから変更できるように構成してもよい。この場合も、機能制限の設定を拒否する場合と同様に、設定側携帯電話機Ａのユーザが一方的に制限側携帯電話機Ｂの機能を制限することを防止することができ、制限側携帯電話機Ｂのユーザの意思を反映させた機能制限を行うことができる。なお、変更する制限内容として、制限の解除を要求すれば、機能制限の解除を行うことができる。
【００８０】
図６は、制限側携帯電話機Ｂから機能制限の制限内容を変更する場合の手順を説明するための説明図である。手順ａ２１では、ユーザが携帯電話機Ｂの入力部１１から所定のコード番号を入力するなどして中継交換機Ｃを呼び出し、さらに入力部１１を操作して携帯電話機Ｂから変更要求信号を中継交換機Ｃに送信する。変更要求信号には、変更要求信号であることを示す識別コードと携帯電話機Ａの電話番号と携帯電話機Ｂの電話番号と制限されている機能名と変更後の制限内容と変更用暗証番号とが含まれている。
【００８１】
手順ａ２２では、変更要求信号を受信した中継交換機Ｃが図２に示す機能制限管理表３１の内容を参照して、変更要求信号に含まれている情報をチェックする。具体的には中継交換機Ｃは、設定側携帯電話機Ａの電話番号と制限側携帯電話機Ｂの電話番号との組合わせが機能制限管理表３１に書き込まれているか、および変更要求信号に含まれている変更用暗証番号と機能制限管理表３１に書き込まれている変更用暗証番号とが一致するかをチェックする。
【００８２】
手順ａ２３では、チェック結果に基づいて変更要求信号が正当なものであるか否かを判断する。設定側と制限側の電話番号の組合わせが書き込まれていない場合や暗証番号が一致しない場合は、変更要求信号が不正なものであると判断し、手順ａ２４で中継交換機Ｃは携帯電話機Ｂにエラーメッセージを送信する。携帯電話機Ｂは、受信したエラーメッセージを表示部１３に表示する。
【００８３】
一方、設定側と制限側の電話番号の組合わせが書き込まれており、かつ変更用暗証番号が一致した場合は、変更要求信号が正当なものであると判断し、手順ａ２５で中継交換機Ｃは携帯電話機Ｂに機能制限設定信号を送信する。機能制限設定信号には、変更要求信号に含まれていた制限する機能名と変更後の制限内容とが含まれている。
【００８４】
手順ａ２６では、機能制限設定信号を受信した携帯電話機Ｂは、機能制限状態表４１における受信した機能名に対応する制限の内容欄４３の内容を、受信した制限内容に書き換える。これによって、機能制限の制限内容が変更される。
【００８５】
その後、手順ａ２７では、携帯電話機Ｂが中継交換機Ｃに変更完了信号を送信し、手順ａ２８では、中継交換機Ｃが携帯電話機Ａに変更完了メッセージを送信する。携帯電話機Ａは、受信した変更完了メッセージを表示部３に表示する。これで、機能制限の制限内容の変更手順が終了する。
【００８６】
・設定側携帯電話機Ａによって設定された機能制限の制限内容を制限側携帯電話機Ｂから変更できるようにするとともに、変更する際に設定側携帯電話機Ａからの承認がなければ変更できないように構成してもよい。この場合も、機能制限の設定を拒否する場合と同様に、設定側携帯電話機Ａのユーザが一方的に制限側携帯電話機Ｂの機能を制限することを防止することができ、制限側携帯電話機Ｂのユーザの意思を反映させた機能制限を行うことができる。また、制限内容の変更には設定側携帯電話機Ａからの承認が必要になるので、安易な変更が行われるのを防止することができる。なお、変更する制限内容として、制限の解除を要求すれば、機能制限の解除を行うことができる。
【００８７】
図７は、制限側携帯電話機Ｂから機能制限の制限内容を変更する場合の手順を説明するための説明図である。手順ａ３１では、ユーザが携帯電話機Ｂの入力部１１から所定のコード番号を入力するなどして中継交換機Ｃを呼び出し、さらに入力部１１を操作して携帯電話機Ｂから変更要求信号を中継交換機Ｃに送信する。変更要求信号には、変更要求信号であることを示す識別コードと携帯電話機Ａの電話番号と携帯電話機Ｂの電話番号と制限されている機能名と変更後の制限内容と変更用暗証番号とが含まれている。
【００８８】
手順ａ３２では、変更要求信号を受信した中継交換機Ｃが図２に示す機能制限管理表３１の内容を参照して、変更要求信号に含まれている情報をチェックする。具体的には中継交換機Ｃは、設定側携帯電話機Ａの電話番号と制限側携帯電話機Ｂの電話番号との組合わせが機能制限管理表３１に書き込まれているか、および変更要求信号に含まれている変更用暗証番号と機能制限管理表３１に書き込まれている変更用暗証番号とが一致するかをチェックする。
【００８９】
手順ａ３３では、チェック結果に基づいて変更要求信号が正当なものであるか否かを判断する。設定側と制限側の電話番号の組合わせが書き込まれていない場合や変更用暗証番号が一致しない場合は、変更要求信号が不正なものであると判断し、手順ａ３４で中継交換機Ｃは携帯電話機Ｂにエラーメッセージを送信する。携帯電話機Ｂは、受信したエラーメッセージを表示部１３に表示する。
【００９０】
一方、設定側と制限側の電話番号の組合わせが書き込まれており、かつ変更用暗証番号が一致した場合は、変更要求信号が正当なものであると判断し、手順ａ３５で中継交換機Ｃは携帯電話機Ａに、機能制限の制限内容の変更が要求されている旨を示す機能制限変更メッセージを送信する。機能制限変更メッセージには、制限されている機能名と変更後の制限内容とが含まれている。
【００９１】
手順ａ３６では、設定側携帯電話機Ａは受信した機能制限変更メッセージを表示部３に表示する。手順ａ３７では、設定側携帯電話機Ａのユーザが、表示内容を見て機能制限の制限内容の変更を承認するか拒否するかを判断し、判断結果を入力部１から入力する。
【００９２】
手順ａ３７で変更を拒否する旨が入力された場合は、手順ａ３８で、設定側携帯電話機Ａは中継交換機Ｃに変更拒否信号を送信し、手順ａ３９では、中継交換機Ｃが制限側携帯電話機Ｂに変更拒否メッセージを送信する。制限側携帯電話機Ｂは、受信した変更拒否メッセージを表示部１３に表示する。これで、機能制限の制限内容の変更が拒否されたことになる。
【００９３】
一方、手順ａ３７で変更に同意する旨が入力された場合は、手順ａ４０で、設定側携帯電話機Ａは中継交換機Ｃに変更承認信号を送信し、手順ａ４１では、中継交換機Ｃが制限側携帯電話機Ｂに機能制限設定信号を送信する。機能制限設定信号には、変更要求信号に含まれていた制限する機能名と変更後の制限内容とが含まれている。
【００９４】
手順ａ４２では、機能制限設定信号を受信した携帯電話機Ｂは、機能制限状態表４１における受信した機能名に対応する制限の内容欄４３の内容を、受信した制限内容に書き換える。これによって、機能制限の制限内容が変更される。
【００９５】
その後、手順ａ４３では、携帯電話機Ｂが中継交換機Ｃに変更完了信号を送信し、手順ａ４４では、中継交換機Ｃが携帯電話機Ａに変更完了メッセージを送信する。携帯電話機Ａは、受信した変更完了メッセージを表示部３に表示する。これで、機能制限の制限内容の変更手順が終了する。
【００９６】
（第２の実施形態）
次に、本発明の第２実施形態を、図８〜図１１を参照しながら説明する。通信装置の基本的な構成は、図１と同じであるので、詳細な説明は省略する。第２実施形態では、設定側電話機Ａの制御部２が機能制限要求手段として機能し、中継交換機Ｃのハードディスク２４に機能制限管理データである機能制限管理表３１が記憶されるとともに、制御部２２が機能制限手段として動作する場合を説明する。
【００９７】
まず、中継交換機Ｃのハードディスク２４には、機能制限管理表３１が予め記録されている。機能制限管理表３１の構成は図２と同じであるので、詳細な説明は省略する。また、中継交換機Ｃのハードディスク２４には、機能制限状態表４１が記録されている。機能制限状態表４１の構成は図３と同じであり、詳細な説明は省略するけれども、設定側電話機と制限側電話機との組合わせごとにそれぞれ対応させて機能制限状態表４１が記録されている。
【００９８】
次に、機能制限の設定手順を説明する。図８は、携帯電話機Ａから携帯電話機Ｂの機能を制限する場合の手順を説明するための説明図である。なお、以下の説明において、携帯電話機Ａが行う処理は制御部２が、携帯電話機Ｂが行う処理は制御部１２が、中継交換機Ｃが行う処理は制御部２２が、実際には行うものである。
【００９９】
手順ｂ１では、ユーザが携帯電話機Ａの入力部１から所定のコード番号を入力するなどして中継交換機Ｃを呼び出し、さらに入力部１を操作して携帯電話機Ａから機能制限要求信号を中継交換機Ｃに送信する。機能制限要求信号には、機能制限要求信号であることを示す識別コードと携帯電話機Ｂの電話番号と制限する機能名と制限内容と設定用暗証番号とが含まれている。なお、携帯電話機Ａの電話番号は、中継交換機Ｃを呼び出す際に携帯電話機Ａから中継交換機Ｃに送信される。
【０１００】
手順ｂ２では、機能制限要求信号を受信した中継交換機Ｃが図２に示す機能制限管理表３１の内容を参照して、機能制限要求信号に含まれている情報をチェックする。具体的には中継交換機Ｃは、設定側携帯電話機Ａの電話番号と制限側携帯電話機Ｂの電話番号との組合わせが機能制限管理表３１に書き込まれているか、および機能制限要求信号に含まれている設定用暗証番号と機能制限管理表３１に書き込まれている設定用暗証番号とが一致するかをチェックする。
【０１０１】
手順ｂ３では、チェック結果に基づいて機能制限要求信号が正当なものであるか否かを判断する。設定側と制限側の電話番号の組合わせが書き込まれていない場合や設定用暗証番号が一致しない場合は、機能制限要求信号が不正なものであると判断し、手順ｂ４で中継交換機Ｃは携帯電話機Ａにエラーメッセージを送信する。携帯電話機Ａは、受信したエラーメッセージを表示部３に表示する。
【０１０２】
一方、設定側と制限側の電話番号の組合わせが書き込まれており、かつ設定用暗証番号が一致した場合は、機能制限要求信号が正当なものであると判断し、手順ｂ５で中継交換機Ｃは、機能制限状態表４１において受信した機能名に対応する制限の内容欄４３に、受信した制限内容を書き込む。これによって、機能制限が設定される。
【０１０３】
その後、手順ｂ６では、中継交換機Ｃが携帯電話機Ａに設定完了メッセージを送信する。携帯電話機Ａは、受信した設定完了メッセージを表示部３に表示する。また手順ｂ７では、中継交換機Ｃが携帯電話機Ｂに設定通知メッセージを送信する。携帯電話機Ｂは、受信した設定通知メッセージを表示部１３に表示する。これで、機能制限の設定手順が終了する。
【０１０４】
例えば、手順ｓ１でユーザが携帯電話機Ｂから制限された機能の使用を中継交換機Ｃに要求すると、手順ｓ２で中継交換機Ｃは携帯電話機Ｂにエラーメッセージを送信する。携帯電話機Ｂは、受信したエラーメッセージを表示部１３に表示する。
【０１０５】
このように中継交換機Ｃに予め機能制限に関する情報を登録しておけば、設定側携帯電話機Ａを操作するだけで、簡単に制限側携帯電話機Ｂの機能を制限することができる。なお、手順ｂ１で制限する機能名と制限内容とを入力する際に、制限内容として機能制限を解除する旨を入力すれば、指定された機能の機能制限を解除することができる。なお、第２実施形態においても、第１実施形態と同じ効果を得ることができる。
【０１０６】
なお、本実施形態は以下のように変更してもよい。
・設定用暗証番号を用いることなく機能制限を設定・解除できるようにしてもよい。この場合は、機能制限の設定・解除の操作が容易になり、また設定用暗証番号を忘れてしまい機能制限の設定・解除ができなくなることを防止することができる。なお、この場合は、設定側携帯電話機Ａのユーザは制限側携帯電話機Ｂのユーザや無関係の第三者が設定側携帯電話機Ａを安易に操作できないように管理することが好ましい。
【０１０７】
・設定側携帯電話機Ａから制限側携帯電話機Ｂの機能制限を設定する際に、制限側携帯電話機Ｂから機能制限の設定を拒否できるように構成してもよい。この場合は、設定側携帯電話機Ａのユーザが一方的に制限側携帯電話機Ｂの機能を制限することを防止することができ、制限側携帯電話機Ｂのユーザの意思を反映させた機能制限を行うことができる。
【０１０８】
図９は、機能制限設定時に制限側携帯電話機Ｂから機能制限の設定を拒否する場合の手順を説明するための説明図である。なお、手順ｂ１〜ｂ４までは図８と同じであるので、同じ参照符号を付して説明を省略する。
【０１０９】
手順ｂ３で、設定側と制限側の電話番号の組合わせが書き込まれており、かつ設定用暗証番号が一致した場合は、機能制限要求信号が正当なものであると判断し、手順ｂ８で中継交換機Ｃは、設定内容通知メッセージを携帯電話機Ｂに送信する。設定内容通知メッセージには、制限される機能名と制限内容とが含まれている。
【０１１０】
手順ｂ９では、制限側携帯電話機Ｂは、受信した設定内容通知メッセージを表示部１３に表示する。手順ｂ１０では、制限側携帯電話機Ｂのユーザが、表示内容を見て機能制限を承認するか拒否するかを判断し、判断結果を入力部１１から入力する。
【０１１１】
手順ｂ１０で機能制限を拒否する旨が入力された場合は、手順ｂ１１で、制限側携帯電話機Ｂは中継交換機Ｃに拒否信号を送信し、手順ｂ１２では、中継交換機Ｃが設定側携帯電話機Ａに設定拒否メッセージを送信する。設定側携帯電話機Ａは、受信した設定拒否メッセージを表示部３に表示する。これで、機能制限の設定が拒否されたことになる。
【０１１２】
一方、手順ｂ１０で機能制限を承認する旨が入力された場合は、手順ｂ１３で、制限側携帯電話機Ｂは、中継交換機Ｃに承認信号を送信する。手順ｂ１４では、承認信号を受信した中継交換機Ｃは、先に受信した機能設定要求信号に基づいて、機能制限状態表４１における受信した機能名に対応する制限の内容欄４３に、受信した制限内容を書き込む。これによって、機能制限が設定される。
【０１１３】
その後、手順ｂ１５では、中継交換機Ｃが設定側携帯電話機Ａに設定完了メッセージを送信する。設定側携帯電話機Ａは受信した設定完了メッセージを表示部３に表示する。また手順ｂ１６では、中継交換機Ｃが制限側携帯電話機Ｂに設定通知メッセージを送信する。制限側携帯電話機Ｂは、受信した設定通知メッセージを表示部１３に表示する。これで、機能制限の設定手順が終了する。
【０１１４】
・設定側携帯電話機Ａによって設定された機能制限の制限内容を、制限側携帯電話機Ｂから変更できるように構成してもよい。この場合も、機能制限の設定を拒否する場合と同様に、設定側携帯電話機Ａのユーザが一方的に制限側携帯電話機Ｂの機能を制限することを防止することができ、制限側携帯電話機Ｂのユーザの意思を反映させた機能制限を行うことができる。なお、変更する制限内容として、制限の解除を要求すれば、機能制限の解除を行うことができる。
【０１１５】
図１０は、制限側携帯電話機Ｂから機能制限の制限内容を変更する場合の手順を説明するための説明図である。手順ｂ２１では、ユーザが携帯電話機Ｂの入力部１１から所定のコード番号を入力するなどして中継交換機Ｃを呼び出し、さらに入力部１１を操作して携帯電話機Ｂから変更要求信号を中継交換機Ｃに送信する。変更要求信号には、変更要求信号であることを示す識別コードと携帯電話機Ａの電話番号と携帯電話機Ｂの電話番号と制限されている機能名と制限内容と変更用暗証番号とが含まれている。
【０１１６】
手順ｂ２２では、変更要求信号を受信した中継交換機Ｃが図２に示す機能制限管理表３１の内容を参照して、変更要求信号に含まれている情報をチェックする。具体的には中継交換機Ｃは、設定側携帯電話機Ａの電話番号と制限側携帯電話機Ｂの電話番号との組合わせが機能制限管理表３１に書き込まれているか、および変更要求信号に含まれている変更用暗証番号と機能制限管理表３１に書き込まれている変更用暗証番号とが一致するかをチェックする。
【０１１７】
手順ｂ２３では、チェック結果に基づいて変更要求信号が正当なものであるか否かを判断する。設定側と制限側の電話番号の組合わせが書き込まれていない場合や変更用暗証番号が一致しない場合は、変更要求信号が不正なものであると判断し、手順ｂ２４で中継交換機Ｃは携帯電話機Ｂにエラーメッセージを送信する。携帯電話機Ｂは、受信したエラーメッセージを表示部１３に表示する。
【０１１８】
一方、設定側と制限側の電話番号の組合わせが書き込まれており、かつ変更用暗証番号が一致した場合は、変更要求信号が正当なものであると判断し、手順ｂ２５で、中継交換機Ｃは、受信した変更要求信号に基づいて、機能制限状態表４１における受信した機能名に対応する制限の内容欄４３の内容を、受信した制限内容に書き換える。これによって、機能制限の制限内容が変更される。
【０１１９】
その後、手順ｂ２６では、中継交換機Ｃが携帯電話機Ａに変更通知メッセージを送信する。携帯電話機Ａは、受信した変更通知メッセージを表示部３に表示する。また手順ｂ２７では、中継交換機Ｃが携帯電話機Ｂに変更完了メッセージを送信する。携帯電話機Ｂは、受信した変更完了メッセージを表示部１３に表示する。これで、機能制限の制限内容の変更手順が終了する。
【０１２０】
・設定側携帯電話機Ａによって設定された機能制限の制限内容を制限側携帯電話機Ｂから変更できるようにするとともに、変更する際に設定側携帯電話機Ａからの承認がなければ変更できないように構成してもよい。この場合も、機能制限の設定を拒否する場合と同様に、設定側携帯電話機Ａのユーザが一方的に制限側携帯電話機Ｂの機能を制限することを防止することができ、制限側携帯電話機Ｂのユーザの意思を反映させた機能制限を行うことができる。また、制限内容の変更には設定側携帯電話機Ａからの承認が必要になるので、安易な変更が行われるのを防止することができる。なお、変更する制限内容として、制限の解除を要求すれば、機能制限の解除を行うことができる。
【０１２１】
図１１は、制限側携帯電話機Ｂから機能制限の制限内容を変更する場合の手順を説明するための説明図である。手順ｂ３１では、ユーザが携帯電話機Ｂの入力部１１から所定のコード番号を入力するなどして中継交換機Ｃを呼び出し、さらに入力部１１を操作して携帯電話機Ｂから変更要求信号を中継交換機Ｃに送信する。変更要求信号には、変更要求信号であることを示す識別コードと携帯電話機Ａの電話番号と携帯電話機Ｂの電話番号と制限されている機能名と変更後の制限内容と変更用暗証番号とが含まれている。
【０１２２】
手順ｂ３２では、変更要求信号を受信した中継交換機Ｃが図２に示す機能制限管理表３１の内容を参照して、変更要求信号に含まれている情報をチェックする。具体的には中継交換機Ｃは、設定側携帯電話機Ａの電話番号と制限側携帯電話機Ｂの電話番号との組合わせが機能制限管理表３１に書き込まれているか、および変更要求信号に含まれている変更用暗証番号と機能制限管理表３１に書き込まれている変更用暗証番号とが一致するかをチェックする。
【０１２３】
手順ｂ３３では、チェック結果に基づいて変更要求信号が正当なものであるか否かを判断する。設定側と制限側の電話番号の組合わせが書き込まれていない場合や変更用暗証番号が一致しない場合は、変更要求信号が不正なものであると判断し、手順ｂ３４で中継交換機Ｃは携帯電話機Ｂにエラーメッセージを送信する。携帯電話機Ｂは、受信したエラーメッセージを表示部１３に表示する。
【０１２４】
一方、設定側と制限側の電話番号の組合わせが書き込まれており、かつ変更用暗証番号が一致した場合は、変更要求信号が正当なものであると判断し、手順ｂ３５で中継交換機Ｃは携帯電話機Ａに、制限されている機能における制限内容の変更が要求されている旨を示す機能制限変更メッセージを送信する。機能制限変更メッセージには、制限されている機能名と変更後の制限内容とが含まれている。
【０１２５】
手順ｂ３６では、設定側携帯電話機Ａは受信した機能制限変更メッセージを表示部３に表示する。手順ｂ３７では、設定側携帯電話機Ａのユーザが、表示内容を見て機能制限の制限内容に変更を承認するか拒否するかを判断し、判断結果を入力部１から入力する。
【０１２６】
手順ｂ３７で変更を拒否する旨が入力された場合は、手順ｂ３８で、設定側携帯電話機Ａは中継交換機Ｃに変更拒否信号を送信し、手順ｂ３９では、中継交換機Ｃが制限側携帯電話機Ｂに変更拒否メッセージを送信する。制限側携帯電話機Ｂは、受信した変更拒否メッセージを表示部１３に表示する。これで、機能制限の制限内容の変更が拒否されたことになる。
【０１２７】
一方、手順ｂ３７で変更に同意する旨が入力された場合は、手順ｂ４０で、設定側携帯電話機Ａは中継交換機Ｃに変更承認信号を送信し、手順ｂ４１では、中継交換機Ｃは、先に受信した変更要求信号に基づいて、機能制限状態表４１における受信した機能名に対応する制限の内容欄４３の内容を、受信した制限内容に書き換える。これによって、機能制限の制限内容が変更される。
【０１２８】
その後、手順ｂ４２では、中継交換機Ｃが携帯電話機Ａに変更通知メッセージを送信する。携帯電話機Ａは、受信した変更完了メッセージを表示部３に表示する。また手順ｂ４３では、中継交換機Ｃが携帯電話機Ｂに変更完了メッセージを送信する。携帯電話機Ｂは、受信した変更通知メッセージを表示部１３に表示する。これで、機能制限の制限内容の変更手順が終了する。
【０１２９】
（第３の実施形態）
次に、本発明の第３実施形態を、図１２〜図１５を参照しながら説明する。通信装置の基本的な構成は、図１と同じであるので、詳細な説明は省略する。第３実施形態では、設定側携帯電話機Ａの制御部２が機能制限要求手段として動作し、制限側携帯電話機Ｂのメモリ１４に機能制限管理データである機能制限管理表３１が記憶されるとともに、制御部１２が機能制限手段として動作する場合を説明する。
【０１３０】
まず、携帯電話機Ｂのメモリ１４には、機能制限管理表３１が予め記憶されている。機能制限管理表３１の構成は図２と同じであるが、通常は第１列目のみに情報が記憶されている。これは、通常は設定側電話機は１台であることが多いからであり、設定側電話機が２台以上ある場合には第２列目以降にも情報が記憶される。また、携帯電話機Ｂのメモリ１４には、機能制限状態表４１が記憶されている。機能制限状態表４１の構成は、図３と同じであるので、詳細な説明は省略する。
【０１３１】
次に、機能制限の設定手順を説明する。図１２は、携帯電話機Ａから携帯電話機Ｂの機能を制限する場合の手順を説明するための説明図である。なお、以下の説明において、携帯電話機Ａが行う処理は制御部２が、携帯電話機Ｂが行う処理は制御部１２が、中継交換機Ｃが行う処理は制御部２２が、実際には行うものである。
【０１３２】
まず手順ｃ１では、予め携帯電話機Ｂのメモリ１４に機能制限管理表３１を登録する。この登録は、携帯電話機Ａのユーザが行うのが好ましい。これは、設定用暗証番号を携帯電話機Ｂのユーザに知られてしまっては、暗証番号の意味をなさないからである。
【０１３３】
手順ｃ２では、ユーザが携帯電話機Ａの入力部１から携帯電話機Ｂの電話番号を入力して中継交換機Ｃを介して携帯電話機Ｂを呼び出し、さらに入力部１を操作して携帯電話機Ａから機能制限要求信号を中継交換機Ｃに送信する。機能制限要求信号には、機能制限要求信号であることを示す識別コードと携帯電話機Ｂの電話番号と制限する機能名と制限内容と設定用暗証番号とが含まれている。なお、携帯電話機Ａの電話番号は、携帯電話機Ｂを呼び出す際に携帯電話機Ａから携帯電話機Ｂに中継交換機Ｃを介して送信される。手順ｃ３では、中継交換機Ｃは、機能制限要求信号をそのまま携帯電話機Ｂに送信する。
【０１３４】
手順ｃ４では、機能制限要求信号を受信した携帯電話機Ｂが図２に示す機能制限管理表３１の内容を参照して、機能制限要求信号に含まれている情報をチェックする。具体的には携帯電話機Ｂは、設定側携帯電話機Ａの電話番号と制限側携帯電話機Ｂの電話番号との組合わせが機能制限管理表３１に書き込まれているか、および機能制限要求信号に含まれている設定用暗証番号と機能制限管理表３１に書き込まれている設定用暗証番号とが一致するかをチェックする。
【０１３５】
手順ｃ５では、チェック結果に基づいて機能制限要求信号が正当なものであるか否かを判断する。設定側と制限側の電話番号の組合わせが書き込まれていない場合や設定用暗証番号が一致しない場合は、機能制限要求信号が不正なものであると判断し、手順ｃ６で携帯電話機Ｂは中継交換機Ｃにエラーメッセージを送信する。手順ｃ７では、中継交換機Ｃはエラーメッセージをそのまま携帯電話機Ａに送信する。携帯電話機Ａは、受信したエラーメッセージを表示部３に表示する。
【０１３６】
一方、設定側と制限側の電話番号の組合わせが書き込まれており、かつ設定用暗証番号が一致した場合は、機能制限要求信号が正当なものであると判断し、手順ｃ８で携帯電話機Ｂは、機能制限状態表４１における受信した機能名に対応する制限の内容欄４３に、受信した制限内容を書き込む。これによって、機能制限が設定される。
【０１３７】
その後、手順ｃ９では、携帯電話機Ｂが設定完了メッセージを中継交換機Ｃに送信する。手順ｃ１０では、中継交換機Ｃは設定完了メッセージをそのまま携帯電話機Ａに送信する。携帯電話機Ａは、受信した設定完了メッセージを表示部３に表示する。これで、機能制限の設定手順が終了する。
【０１３８】
このように制限側携帯電話機Ｂに予め機能制限に関する情報を登録しておけば、設定側携帯電話機Ａを操作するだけで、簡単に制限側携帯電話機Ｂの機能を制限することができる。なお、手順ｃ２で制限する機能名と制限内容とを入力する際に、制限内容として機能制限を解除する旨を入力すれば、指定された機能の機能制限を解除することができる。なお、第３実施形態においても、第１実施形態と同じ効果を得ることができる。
【０１３９】
なお、本実施形態は以下のように変更してもよい。
・設定用暗証番号を用いることなく機能制限を設定・解除できるようにしてもよい。この場合は、機能制限の設定・解除の操作が容易になり、また設定用暗証番号を忘れてしまい機能制限の設定・解除ができなくなることを防止することができる。なお、この場合は、設定側携帯電話機Ａのユーザは制限側携帯電話機Ｂのユーザや無関係の第三者が設定側携帯電話機Ａを安易に操作できないように管理することが好ましい。
【０１４０】
・設定側携帯電話機Ａから制限側携帯電話機Ｂの機能制限を設定する際に、制限側携帯電話機Ｂから機能制限の設定を拒否できるように構成してもよい。この場合は、設定側携帯電話機Ａのユーザが一方的に制限側携帯電話機Ｂの機能を制限することを防止することができ、制限側携帯電話機Ｂのユーザの意思を反映させた機能制限を行うことができる。
【０１４１】
図１３は、機能制限設定時に制限側携帯電話機Ｂから機能制限の設定を拒否する場合の手順を説明するための説明図である。なお、手順ｃ１〜ｃ７までは図１２と同じであるので、同じ参照符号を付して説明を省略する。
【０１４２】
手順ｃ５で、設定側と制限側の電話番号の組合わせが書き込まれており、かつ設定用暗証番号が一致した場合は、機能制限要求信号が正当なものであると判断し、手順ｃ１１で、携帯電話機Ｂは、受信した機能制限要求信号に基づいて、表示部１３に制限される機能名と制限の内容とを表示する。手順ｃ１２では、制限側携帯電話機Ｂのユーザが、表示内容を見て機能制限を承認するか拒否するかを判断し、判断結果を入力部１１から入力する。
【０１４３】
手順ｃ１２で機能制限を拒否する旨が入力された場合は、手順ｃ１３で、制限側携帯電話機Ｂは中継交換機Ｃに設定拒否メッセージを送信する。手順ｃ１４では、中継交換機Ｃは設定拒否メッセージをそのまま携帯電話機Ａに送信する。携帯電話機Ａは、受信した設定拒否メッセージを表示部３に表示する。これで、機能制限の設定が拒否されたことになる。
【０１４４】
一方、手順ｃ１２で機能制限を承認する旨が入力された場合は、手順ｃ１５で、携帯電話機Ｂは、先に受信した機能設定要求信号に基づいて、機能制限状態表４１における受信した機能名に対応する制限の内容欄４３に、受信した制限内容を書き込む。これによって、機能制限が設定される。
【０１４５】
その後、手順ｃ１６では、携帯電話機Ｂは設定完了メッセージを中継交換機Ｃに送信する。手順ｃ１７では、中継交換機Ｃは設定完了メッセージをそのまま携帯電話機Ａに送信する。携帯電話機Ａは、受信した設定完了メッセージを表示部３に表示する。これで、機能制限の設定手順が終了する。
【０１４６】
・設定側携帯電話機Ａによって設定された機能制限の制限内容を、制限側携帯電話機Ｂから変更できるように構成してもよい。この場合も、機能制限の設定を拒否する場合と同様に、設定側携帯電話機Ａのユーザが一方的に制限側携帯電話機Ｂの機能を制限することを防止することができ、制限側携帯電話機Ｂのユーザの意思を反映させた機能制限を行うことができる。なお、変更する制限内容として、制限の解除を要求すれば、機能制限の解除を行うことができる。
【０１４７】
図１４は、制限側携帯電話機Ｂから機能制限の制限内容を変更する場合の手順を説明するための説明図である。手順ｃ２１では、ユーザが携帯電話機Ｂの入力部１１から変更要求を入力する。変更要求には、変更要求であることを示す識別コードと携帯電話機Ａの電話番号と携帯電話機Ｂの電話番号と制限されている機能名と変更後の制限内容と変更用暗証番号とが含まれている。
【０１４８】
手順ｃ２２では、制御部１２が図２に示す機能制限管理表３１の内容を参照して、入力された変更要求に含まれている情報をチェックする。具体的には制御部１２は、設定側携帯電話機Ａの電話番号と制限側携帯電話機Ｂの電話番号との組合わせが機能制限管理表３１に書き込まれているか、および変更要求に含まれている変更用暗証番号と機能制限管理表３１に書き込まれている変更用暗証番号とが一致するかをチェックする。
【０１４９】
手順ｃ２３では、チェック結果に基づいて変更要求が正当なものであるか否かを判断する。設定側と制限側の電話番号の組合わせが書き込まれていない場合や変更用暗証番号が一致しない場合は、変更要求が不正なものであると判断し、手順ｃ２４で制御部１２はエラーメッセージを表示部１３に表示させる。
【０１５０】
一方、設定側と制限側の電話番号の組合わせが書き込まれており、かつ変更用暗証番号が一致した場合は、変更要求が正当なものであると判断し、手順ｃ２５で、制御部１２は、入力された変更要求に基づいて、機能制限状態表４１における入力された機能名に対応する制限の内容欄４３の内容を、入力された制限内容に書き換える。これによって、機能制限の制限内容が変更される。
【０１５１】
その後、手順ｃ２６では、携帯電話機Ｂが変更完了メッセージを中継交換機Ｃに送信する。手順ｃ２７では、中継交換機Ｃは変更完了メッセージをそのまま携帯電話機Ａに送信する。携帯電話機Ａは、受信した変更完了メッセージを表示部３に表示する。これで、機能制限の制限内容の変更手順が終了する。
【０１５２】
・設定側携帯電話機Ａによって設定された機能制限の制限内容を制限側携帯電話機Ｂから変更できるようにするとともに、変更する際に設定側携帯電話機Ａからの承認がなければ変更できないように構成してもよい。この場合も、機能制限の設定を拒否する場合と同様に、設定側携帯電話機Ａのユーザが一方的に制限側携帯電話機Ｂの機能を制限することを防止することができ、制限側携帯電話機Ｂのユーザの意思を反映させた機能制限を行うことができる。また、制限内容の変更には設定側携帯電話機Ａからの承認が必要になるので、安易な変更が行われるのを防止することができる。なお、変更する制限内容として、制限の解除を要求すれば、機能制限の解除を行うことができる。
【０１５３】
図１５は、制限側携帯電話機Ｂから機能制限の制限内容を変更する場合の手順を説明するための説明図である。手順ｃ３１では、ユーザが携帯電話機Ｂの入力部１１から変更要求を入力する。変更要求には、変更要求であることを示す識別コードと携帯電話機Ａの電話番号と携帯電話機Ｂの電話番号と制限されている機能名と変更後の制限内容と変更用暗証番号とが含まれている。
【０１５４】
手順ｃ３２では、制御部１２が図２に示す機能制限管理表３１の内容を参照して、入力された変更要求に含まれている情報をチェックする。具体的には制御部１２は、設定側携帯電話機Ａの電話番号と制限側携帯電話機Ｂの電話番号との組合わせが機能制限管理表３１に書き込まれているか、および変更要求に含まれている変更用暗証番号と機能制限管理表３１に書き込まれている変更用暗証番号とが一致するかをチェックする。
【０１５５】
手順ｃ３３では、チェック結果に基づいて変更要求が正当なものであるか否かを判断する。設定側と制限側の電話番号の組合わせが書き込まれていない場合や変更用暗証番号が一致しない場合は、変更要求が不正なものであると判断し、手順ｃ３４で制御部１２はエラーメッセージを表示部１３に表示する。
【０１５６】
一方、設定側と制限側の電話番号の組合わせが書き込まれており、かつ変更用暗証番号が一致した場合は、変更要求が正当なものであると判断し、手順ｃ３５で、携帯電話機Ｂは中継交換機Ｃに制限されている機能における制限内容の変更が要求されている旨を示す機能制限変更メッセージを送信する。機能制限変更メッセージには、制限されている機能名と変更後の制限内容とが含まれている。手順ｃ３６では、中継交換機Ｃは機能制限変更メッセージをそのまま携帯電話機Ａに送信する。
【０１５７】
手順ｃ３７では、設定側携帯電話機Ａは受信した機能制限変更メッセージを表示部３に表示する。手順ｃ３８では、設定側携帯電話機Ａのユーザが、表示内容を見て機能制限の制限内容に変更を承認するか拒否するかを判断し、判断結果を入力部１から入力する。
【０１５８】
手順ｃ３８で変更を拒否する旨が入力された場合は、手順ｃ３９で、設定側携帯電話機Ａは中継交換機Ｃに変更拒否メッセージを送信し、手順ｃ４０では、中継交換機Ｃは変更拒否メッセージをそのまま携帯電話機Ｂに送信する。制限側携帯電話機Ｂは、受信した変更拒否メッセージを表示部１３に表示する。これで、機能制限の制限内容の変更が拒否されたことになる。
【０１５９】
一方、手順ｃ３８で変更を承認する旨が入力された場合は、手順ｃ４１で、設定側携帯電話機Ａは中継交換機Ｃに変更承認信号を送信し、手順ｃ４２では、中継交換機Ｃは、変更承認信号をそのまま携帯電話機Ｂに送信する。
【０１６０】
手順ｃ４３では、携帯電話機Ｂは先に入力された変更要求に基づいて、機能制限状態表４１における入力された機能名に対応する制限の内容欄４３の内容を、入力された制限内容に書き換える。これによって、機能制限の制限内容が変更される。
【０１６１】
その後、手順ｃ４４では、携帯電話機Ｂが変更完了メッセージを中継交換機Ｃに送信する。手順ｃ４５では、中継交換機Ｃは変更完了メッセージをそのまま携帯電話機Ａに送信する。携帯電話機Ａは、受信した変更完了メッセージを表示部３に表示する。これで、機能制限の制限内容の変更手順が終了する。
【０１６２】
なお、上記各実施形態は、以下のように変更してもよい。
・上記各実施形態では、携帯電話機から携帯電話機の機能を制限する場合を説明したけれども、固定電話機から携帯電話機の機能を制限するようにしてもよいし、また携帯電話機から固定電話機の機能を制限するようにしてもよいし、さらには固定電話機から固定電話機の機能を制限するようにしてもよい。
【０１６３】
・上記各実施形態では、機能制限管理データとして設定側電話機および制限側電話機の各電話番号を使用して電話機を識別する場合を説明したけれども、電話番号に限らず、電話機を識別するための識別符号であれば電話番号と同様に使用することができる。
【産業上の利用可能性】
【０１６４】
本発明は、電話会社が有する中継交換機を介して電話機間で音声信号やデータ信号などの信号の授受を行う電話機を用いた通信装置に適用することができる。また、最近の携帯電話機は多種多様な機能を備えているので、本発明は携帯電話機の機能を制限する際に特に好適である。
【図面の簡単な説明】
【０１６５】
【図１】本発明の第１実施形態である電話機を用いた通信装置の基本的な構成を示すブロック図。
【図２】機能制限管理表３１の構成を示す模式図。
【図３】機能制限状態表４１の構成を示す模式図。
【図４】第１実施形態において携帯電話機Ａから携帯電話機Ｂの機能を制限する場合の手順を説明する説明図。
【図５】第１実施形態において携帯電話機Ｂの機能制限を設定する際に設定を拒否する場合の手順を説明する説明図。
【図６】第１実施形態において携帯電話機Ｂから制限内容を変更する場合の手順を説明する説明図。
【図７】第１実施形態において携帯電話機Ａの承認を得て携帯電話機Ｂから制限内容を変更する場合の説明する説明図。
【図８】第２実施形態において携帯電話機Ａから携帯電話機Ｂの機能を制限する場合の手順を説明する説明図。
【図９】第２実施形態において携帯電話機Ｂの機能制限を設定する際に設定を拒否する場合の手順を説明する説明図。
【図１０】第２実施形態において携帯電話機Ｂから制限内容を変更する場合の手順を説明する説明図。
【図１１】第２実施形態において携帯電話機Ａの承認を得て携帯電話機Ｂから制限内容を変更する場合の手順を説明する説明図。
【図１２】第３実施形態において携帯電話機Ａから携帯電話機Ｂの機能を制限する場合の手順を説明する説明図。
【図１３】第３実施形態において携帯電話機Ｂの機能制限を設定する際に設定を拒否する場合の手順を説明する説明図。
【図１４】第３実施形態において携帯電話機Ｂから制限内容を変更する場合の手順を説明する説明図。
【図１５】第３実施形態において携帯電話機Ａの承認を得て携帯電話機Ｂから制限内容を変更する場合の手順を説明する説明図。
【符号の説明】
【０１６６】
Ａ…設定側携帯電話機、Ｂ…制限側携帯電話機、Ｃ…中継交換機、１，１１，２１…入力部、２，１２，２２…制御部、３，１３，２３…表示部、４，１４…メモリ、５，１５，２５…無線通信部、６，１６，２６…アンテナ、２４…ハードディスク、３１…機能制限管理表、４１…機能制限状態表。
【図１】
2006186625.tif 000003
【図２】
2006186625.tif 000004
【図３】
2006186625.tif 000005
【図４】
2006186625.tif 000006
【図５】
2006186625.tif 000007
【図６】
2006186625.tif 000008
【図７】
2006186625.tif 000009
【図８】
2006186625.tif 000010
【図９】
2006186625.tif 000011
【図１０】
2006186625.tif 000012
【図１１】
2006186625.tif 000013
【図１２】
2006186625.tif 000014
【図１３】
2006186625.tif 000015
【図１４】
2006186625.tif 000016
【図１５】
2006186625.tif 000017